(57)【要約】【課題】伐採対象樹木に対して容易且つ確実に伐採補助ロープを取り付け可能な新規なロープ取付具を提供する。【解決手段】ロープ取付具１は、操作杆１０により支持され、伐採補助ロープ４０の先端側部位４０ａを保持した状態で被取付部１０５（幹１０１、枝１０３、又はその分岐部分）上方をオーバーハングした時に先端側部位を被取付部の一方側から他方側へ乗り越えさせるロープ保持アーム２０と、ロープ保持アームに設けられて伐採補助ロープの先端側部位を離脱自在に保持し、離脱動作した時に先端側部位を離脱させるロープホルダ３０と、を備える。ロープ取付具は、ロープホルダにより保持された伐採補助ロープの先端側部位が被取付部を乗り越えた状態でロープホルダを離脱動作させることにより先端側部位が被取付部の他方側に落下するように構成されている【選択図】図１
2020137479.tif 000002
【特許請求の範囲】
【請求項１】
伐採補助ロープを、伐採対象樹木の被取付部に取り付けるロープ取付具であって、
操作杆により支持され、前記伐採補助ロープの先端側部位を保持した状態で前記被取付部上方をオーバーハングした時に該先端側部位を前記被取付部の一方側から他方側へ乗り越えさせるロープ保持アームと、
該ロープ保持アームに設けられて前記伐採補助ロープの先端側部位を離脱自在に保持し、離脱動作した時に該先端側部位を離脱させるロープホルダと、を備え、
該ロープホルダにより保持された前記伐採補助ロープの先端側部位が前記被取付部を乗り越えた状態で該ロープホルダを離脱動作させることにより該先端側部位が該被取付部の他方側に落下するように構成したことを特徴とするロープ取付具。
【請求項２】
前記ロープ保持アームには、係止突起が設けられており、
前記ロープホルダは、一部を前記ロープ保持アームにより支持されると共に他部に前記係止突起に着脱自在に係止される被係止部を備え、中間部に前記伐採補助ロープの先端側部位を保持するロープ保持部を備え、
前記ロープホルダは、前記被係止部が前記係止突起に係止されているときに前記伐採補助ロープを保持する保持姿勢を取り、前記被係止部が前記係止突起から離脱したときに前記伐採補助ロープを離脱させることを特徴とする請求項１に記載のロープ取付具。
【請求項３】
伐採補助ロープを、伐採対象樹木の被取付部に取り付けるロープ取付具であって、
一部に設けた軸支部を操作杆により揺動自在に支持されたロープ保持アームと、
該ロープ保持アームに設けられて前記伐採補助ロープの先端側部位を離脱自在に保持し、該ロープ保持アームが前記軸支部を中心として回転動作した時に該先端側部位を離脱させるロープ保持部と、を備え、
前記伐採補助ロープを保持した状態の前記ロープ保持部を前記被取付部の一方側に位置させた状態で前記ロープ保持アームを回転動作させた時に前記先端側部位が該被取付部の他方側に落下するように構成したことを特徴とするロープ取付具。
【請求項４】
前記ロープ保持アームを、前記伐採補助ロープの先端側部位を離脱させる離脱姿勢に回転させる操作手段を備えることを特徴とする請求項３に記載のロープ取付具。
【請求項５】
前記伐採補助ロープは先端部に環状のアイ部を備えており、
前記ロープ保持アームは前記アイ部に挿入可能な操作突起を備えることを特徴とする請求項１乃至４の何れか一項に記載のロープ取付具。
【発明の詳細な説明】
【技術分野】
【０００１】
本発明は、樹木を伐採して引き倒す際に、樹木の幹又は枝に対して樹木の伐倒方向を制御する伐採補助ロープを取り付けるロープ取付具に関し、特に、簡便な機構を用いて樹木に伐採補助ロープを取り付け可能なロープ取付具に関する。
【背景技術】
【０００２】
鉄塔間に張設される高圧送電線は、空気を利用して絶縁を確保している。高圧送電線には、樹木を含む他物体との間で確保するべき離隔が電圧に応じて定められている。高圧送電線の直下にある地上の樹木が成長して高圧送電線に接近すると、高圧送電線から樹木の枝を伝って放電し、停電事故を引き起こす虞がある。このような事故を防止するため、電力会社は高圧送電線との離隔距離が許容限度を下回っている樹木を伐採する作業を実施する。
伐採対象とされる樹木のうち、幹の直径が所定の基準値よりも大きい大径木、伐倒方向に制限がある樹木、又は重心が剛性の中心から離れている偏心木等の特殊な樹木を伐採する際には、安全に伐倒するため、樹木の幹又は枝に伐採用の補助ロープを取り付けて引っ張ることにより、これらの樹木が所望の方向に伐倒されるように調整する。
【０００３】
従来、伐採補助ロープを伐採対象樹木の枝に取り付ける際には、伐採補助ロープを二股に割れた木や枝などに引っ掛けて伐採補助ロープを係止対象位置まで持ち上げたり、伐採補助ロープを投げ上げて目的の枝に引っ掛ける等していた。しかし、前者の場合には、係止対象位置に到達する前に伐採補助ロープが落下したり、後者の場合には伐採補助ロープが係止対象ではない枝をうまく避けられずに係止対象外の枝に引っ掛かる等、伐採補助ロープの取り付けには大変な苦労を伴っていた。また、所望の位置に確実に伐採補助ロープを取り付けることを目的として、昇木用ステップや昇柱器等を使用して作業者が伐採補助ロープの係止対象位置まで昇木する場合もあり、伐採補助ロープの取付作業に多大な時間を必要としていた。
【０００４】
特許文献１には、長尺のポールと、長手方向（周方向）の一端をポールの先端部に連接されると共に、上面が開口した溝内に伐採補助ロープを一時的に保持するロープガイドと、を備えたロープ取付具が記載されている。ロープガイドは、伐採対象樹木の幹を半周程度包囲しうる円弧状に湾曲形成されている。ロープガイドの周方向の一端側は、ポールの軸線に対して上方に４５度程度の傾斜を有してポールの先端部と接続されている。
伐採補助ロープをロープガイドに保持させた状態にて、ロープガイド部分を伐採補助ロープの取付位置まで上昇させてロープガイドにより伐採対象樹木の幹を半周程度包囲する。その後、ポールの軸線を中心としてポールを回転させて伐採補助ロープを順次、溝から離脱させることにより、伐採補助ロープを伐採対象樹木に取り付ける。
【先行技術文献】
【特許文献】
【０００５】
【特許文献１】特開２００６−２３８８０７公報
【発明の概要】
【発明が解決しようとする課題】
【０００６】
しかし、採対象樹木の幹の直径がロープガイドの直径よりも大きい場合には、特許文献１に記載のロープ取付具を使用して伐採対象樹木に伐採補助ロープを取り付けることは困難である。また、伐採補助ロープをロープガイド内に保持するために、伐採補助ロープとロープガイドとの間に働く摩擦力を利用するため、伐採補助ロープ保持状態の維持、或いは伐採補助ロープを離脱させる制御には、作業者の技術が必要である。
【０００７】
本発明は上述の事情に鑑みてなされたものであり、伐採対象樹木に対して容易且つ確実に伐採補助ロープを取り付け可能とすることを目的とする。
【課題を解決するための手段】
【０００８】
上記の課題を解決するために、本発明は、伐採補助ロープを、伐採対象樹木の被取付部に取り付けるロープ取付具であって、操作杆により支持され、前記伐採補助ロープの先端側部位を保持した状態で前記被取付部上方をオーバーハングした時に該先端側部位を前記被取付部の一方側から他方側へ乗り越えさせるロープ保持アームと、該ロープ保持アームに設けられて前記伐採補助ロープの先端側部位を離脱自在に保持し、離脱動作した時に該先端側部位を離脱させるロープホルダと、を備え、該ロープホルダにより保持された前記伐採補助ロープの先端側部位が前記被取付部を乗り越えた状態で該ロープホルダを離脱動作させることにより該先端側部位が該被取付部の他方側に落下するように構成したことを特徴とする。
【発明の効果】
【０００９】
本発明によれば、伐採対象樹木に対して容易且つ確実に伐採補助ロープを取り付け可能となる。
【図面の簡単な説明】
【００１０】
【図１】本発明の第一の実施形態に係るロープ取付具を示す模式的正面図である。
【図２】（ａ）〜（ｃ）は、本発明の第一の実施形態に係るロープ取付具の使用方法を説明する模式図である。
【図３】本発明の第二の実施形態に係るロープ取付具を示す模式的正面図である。
【図４】（ａ）〜（ｃ）は、本発明の第二の実施形態に係るロープ取付具の使用方法を説明する模式図である。
【発明を実施するための形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１２】
〔第一の実施形態〕
図１は、本発明の第一の実施形態に係るロープ取付具を示す模式的正面図である。図２（ａ）〜（ｃ）は、本発明の第一の実施形態に係るロープ取付具の使用方法を説明する模式図である。
ロープ取付具は、伐採補助ロープを伐採対象樹木の被取付部（幹、枝、又はその分岐部分）に取り付ける手段である。以下の説明においては、ロープ取付具１の使用時の姿勢を基準に上下方向を定めて説明する。なお、ロープ取付具１が使用時の姿勢を取るとき、操作杆１０は直立した起立姿勢を取るか、やや傾斜した起立姿勢を取る。
【００１３】
ロープ取付具１は、操作杆１０により支持され、伐採補助ロープ４０の先端側部位４０ａを保持した状態で被取付部１０５の上方をオーバーハングした時に、先端側部位４０ａを被取付部１０５の一方側から他方側へ乗り越えさせるロープ保持アーム２０と、ロープ保持アーム２０に設けられて伐採補助ロープ４０の先端側部位４０ａを離脱自在に保持し、離脱動作した時に先端側部位４０ａを離脱させるロープホルダ３０と、を備える。
ロープ取付具１は、ロープホルダ３０により保持された伐採補助ロープ４０の先端側部位４０ａが被取付部１０５を乗り越えた状態でロープホルダ３０を離脱動作させることにより先端側部位４０ａが被取付部１０５の他方側に落下するように構成されている。
【００１４】
＜操作杆＞
操作杆１０は、伐採補助ロープ４０を伐採対象樹木１００の被取付部１０５の上方まで持ち上げうる長さを有した棒状体であり、その先端部１０ａにおいてロープ保持アーム２０を支持する。また、操作杆１０の基部側の適所は作業者が把持する把持部である。
操作杆１０は、長手方向に伸縮自在に構成されてもよいし、長手方向に沿って順次連結可能な複数の分割体から構成されてもよい。或いは、操作杆１０は、伐採対象樹木１００の周辺にある適当な枯れ木や小径木等を利用したものでもよい。
【００１５】
＜伐採補助ロープ＞
伐採補助ロープ４０は、伐採対象樹木の伐倒方向を制御するために使用される。
伐採補助ロープ４０には、伐採対象樹木を伐倒可能な程度の引っ張り強度を有したロープが使用される。伐採補助ロープ４０には、例えば三つ打ちのナイロン製ロープ等が使用される。伐採補助ロープ４０は、伐採対象樹木の高所にある枝１０３の上方において伐採対象樹木１００の幹に巻回される。
【００１６】
伐採補助ロープ４０の先端部には環状のアイ部４１が形成されている。アイ部４１は、伐採補助ロープ４０の先端部を地上まで引き下ろす際に使用される。また、アイ部４１は伐採補助ロープ４０を伐採対象樹木の幹１０１周りに巻き付けて固定する際等にも使用される。
アイ部４１は、例えば３つ打ちロープからなる伐採補助ロープ４０の先端部にアイ・スプライス加工（さつま編み加工）を施すことにより形成される。なお、アイ部４１は、伐採補助ロープ４０を構成する素材とは異なる材料からなる環状の部材（例えば金属製のリングやカラビナ等）でもよい。また、伐採補助ロープ４０を伐採対象樹木１００に対して取り付ける際に、少なくともアイ部４１を確実に落下させるためには、アイ部４１に金属材料を使用する等して、所定の重量を付与することが好適である。
図１に示すように、例えば伐採補助ロープ４０は、先端側部位４０ａを環状に巻き取られた姿勢にてロープ取付具１によって保持される。
【００１７】
＜ロープ保持アーム＞
本例に示すロープ保持アーム２０は固定的形状を有した非可動式の部材であり、伐採補助ロープ４０を間接的に支持する。
ロープ保持アーム２０は、基部側（一端部側）に操作杆１０の先端部１０ａに対して着脱自在に装着される装着部２３を備え、先端側（他端部側）に被取付部１０５の上方をオーバーハングするオーバーハング部２１を備える。
【００１８】
装着部２３は、操作杆１０と略同方向に伸びるように、操作杆１０に対して固定・一体化される。装着部２３は、例えば、操作杆１０の先端部１０ａに添設された状態にて、別途用意した固定用ロープ等を用いて先端部１０ａに対して縛り付けられることにより、操作杆１０の先端部１０ａに対して着脱自在に固定される。
操作杆１０に対してロープ保持アーム２０を着脱自在に構成することにより、非使用時においてロープ取付具１をコンパクト化することができ、険しい山岳地帯におけるロープ取付具１の運搬が容易となる。
なお、ロープ保持アーム２０は操作杆１０に対してどのような方法により固定・一体化されてもよい。また、ロープ保持アーム２０は操作杆１０に対して着脱不能に固定されていてもよいし、ロープ保持アーム２０と操作杆１０は一体形成されてもよい。
【００１９】
ロープ保持アーム２０は、装着部２３とオーバーハング部２１とが概略逆Ｖ字形状に連接された構成を有する。ロープ保持アーム２０の内角は９０度よりも広い鈍角である。ロープ保持アーム２０が使用時の姿勢を取るとき、言い換えれば、装着部２３が直立した姿勢を取るか、或いはやや傾斜した起立姿勢を取るときに、オーバーハング部２１は斜め上方或いは水平方向に伸びるように構成されている。
【００２０】
ロープ保持アーム２０は、中間部適所から外角側に突出した係止突起２５と、先端部２０ａから内角側に突出した操作突起２７とを備える。ロープ保持アーム２０が使用時の姿勢を取るときに、係止突起２５は斜め上方に向けて突出し、操作突起２７は斜め下方に向けて突出するように構成されている。
【００２１】
係止突起２５は、装着部２３とオーバーハング部２１とが連接する屈曲部の外角側から、装着部２３の延長方向（装着部２３を越えて伸びる方向）に突出している。係止突起２５は、先端部２０ａに向かって、オーバーハング部２１と並行して突出する。
係止突起２５は、ロープホルダ３０を、伐採補助ロープ４０を保持する保持姿勢に一時的に維持する手段である。係止突起２５のロープ保持アーム２０からの突出開始位置、係止突起２５の突出方向、突出長、及び形状は、ロープホルダ３０を一時的に保持姿勢に維持可能、且つ所定の離脱操作が実施されたときには、ロープホルダ３０を即座に非保持姿勢に移行可能となるように設定される。
【００２２】
操作突起２７は、伐採補助ロープ４０のアイ部４１が地上に落下してこない場合に、操作突起２７をアイ部４１内に挿入して、アイ部４１を地上に引き下ろすための手段である。操作突起２７の突出方向、突出長、及び形状は、操作杆１０を地上から操作して操作突起２７をアイ部４１内に挿入することが可能、且つ、アイ部４１を地上に引き下ろす操作をしたときに操作突起２７がアイ部４１に係止された状態を維持可能となるように設定される。また、操作突起２７の位置、突出方向、突出長、及び形状は、ロープホルダ３０の離脱動作、及び離脱動作に伴う伐採補助ロープ４０の落下を阻害しないように設定される。
【００２３】
＜ロープホルダ＞
ロープホルダ３０は、一端部３１ａ（一部）をロープ保持アーム２０により支持されると共に他端部３１ｂ（他部）に係止突起２５に着脱自在に係止される被係止部３３を備え、中間部に伐採補助ロープの先端側部位４０ａを保持するロープ保持部３１を備える。
【００２４】
ロープ保持部３１は、例えば自在に湾曲変形又は屈曲変形可能な線材により構成される。線材には、ロープ（繊維ロープ、ワイヤロープ）の他、チェーン等を使用できる。ロープホルダ３０の一端部３１ａは、ロープ保持アーム２０の先端部２０ａに固定されていてもよいし、ロープ保持アーム２０の先端部２０ａによって揺動或いは回動自在に支持されていてもよい。
或いは、ロープ保持部３１は、所定の離脱操作により、被係止部３３が係止突起２５から離脱可能な構成であれば、例えば金属、木材等の硬質材料により形成された固定的な形状を有するものでもよい。この場合、ロープ保持部３１の長手方向の一端部３１ａは、ロープ保持アーム２０の先端部２０ａによって揺動或いは回動自在に支持される。
【００２５】
被係止部３３は、係止突起２５に係止可能な構成を備えていればよい。例えば、被係止部３３は、ロープ保持部３１を構成する線材の先端部に固定されたカラビナや環状の部材により構成されてもよい。或いは、被係止部３３は、ロープ保持部３１を構成する線材の先端部にアイ・スプライス処理（さつま編み加工）を施すことにより形成された環状のアイ部により構成されてもよい。
図１に示すように、ロープホルダ３０は、被係止部３３が係止突起２５に係止されているときに伐採補助ロープ４０を保持する保持姿勢を取る。また、図２（ｂ）に示すように、ロープホルダ３０は、被係止部３３が係止突起２５から離脱したとき（離脱動作したとき）に伐採補助ロープ４０を保持不能な非保持姿勢を取り、伐採補助ロープ４０を離脱（落下）させる。
【００２６】
係止突起２５に係止可能であれば、被係止部３３として例えばＪ字形のフックを採用することができる。しかし、ロープホルダ３０が離脱動作をする際に、ロープホルダ３０がロープホルダ３０に保持されている伐採補助ロープ４０をスムーズに離脱させるためには、被係止部３３は伐採補助ロープ４０の離脱を阻害しない形状であることが望ましい。そのため、被係止部３３には、伐採補助ロープ４０が離脱する際に、伐採補助ロープ４０が引っ掛かる要因となる突起等が設けられていないことが望ましい。以上の理由から、被係止部３３は、離脱動作時に環状（又は無端状）の姿勢を取る構成要素であることが望ましい。
【００２７】
＜係止突起と被係止部との関係＞
係止突起２５は、ロープホルダ３０が離脱動作したときに、被係止部３３を離脱させることが可能な形態を有する。ここで、離脱動作とは、ロープ保持部３１に加えられたロープ保持アーム２０の先端方向に向かう外力Ｆ（図２（ａ）参照）によって、ロープホルダ３０の被係止部３３が外力Ｆに沿った方向に移動する動作のことである。
外力Ｆが作用していないとき、係止突起２５は、被係止部３３を介して係止突起２５の基部に作用する重力によって被係止部３３の離脱を禁止し、被係止部３３を係止した状態に維持する。外力Ｆが作用したとき、係止突起２５は、被係止部３３を係止突起２５から離脱させる。即ち、被係止部３３は係止突起２５の傾斜面に沿って移動して、係止突起２５から離脱する。
係止突起２５の形態（外形状、大きさ、突出長、突出方向等）は、上記動作が可能な形態に設定される。即ち、係止突起２５の形態は、外力Ｆの非作用時には重力により被係止部３３を係止した状態に維持し、外力Ｆの作用時には被係止部３３を係止突起２５から離脱させることが可能な形態に設定される。
【００２８】
＜使用方法＞
ロープ取付具１の使用方法について、図１及び図２に基づいて説明する。
図１に示すように、まず、ロープホルダ３０に伐採補助ロープ４０を保持させる。即ち、伐採補助ロープ４０の先端側部位４０ａを環状に束ね、環状となった先端側部位４０ａが形成する穴４０ｂ内にロープホルダ３０を挿通し、被係止部３３を係止突起２５に係止する。なお、伐採補助ロープ４０の後端側部位は、作業者が操作できる状態で地上に待機させておく。
【００２９】
続いて、図２（ａ）に示すように、操作杆１０を適宜操作して、ロープ保持アーム２０部分を伐採補助ロープ４０の被取付部１０５の上方まで持ち上げる。ロープ保持アーム２０のオーバーハング部２１を被取付部１０５上方の一方側（作業者側）から他方側へオーバーハングさせる（差し出す）。このとき、伐採補助ロープ４０の先端側部位４０ａをオーバーハング部２１と共に被取付部１０５上方の一方側から他方側へ乗り越えさせる。
仮に、被取付部１０５上方を乗り越えさせるときに先端側部位４０ａが伐採対象樹木１００に衝突した場合であっても、被係止部３３が受ける応力は係止突起２５の基部側に向かう方向となるため、被係止部３３は係止突起２５から落下せず、ロープホルダ３０は保持姿勢を維持する。
更に、作業者は操作杆１０を操作して、環状に束ねられた伐採補助ロープ４０の先端側部位４０ａの少なくとも一部が被取付部１０５よりも低い位置となるように、先端側部位４０ａの高さ位置を調整する。
【００３０】
この状態で、ロープホルダ３０の被係止部３３を係止突起から離脱させる離脱動作させて保持姿勢（図２（ａ））から非保持姿勢（図２（ｂ））に変位させる。即ち、作業者は、ロープ保持アーム２０が所要の高さ位置にある状態を維持したまま、操作杆１０を一方側（矢印Ａ方向）に引き寄せる操作（離脱操作）を行う。この操作を行った場合、先端側部位４０ａは、伐採対象樹木１００の何れかの箇所（被取付部１０５、枝１０３又は幹１０１）によって一方側への移動を阻止される。
伐採対象樹木１００によって先端側部位４０ａが一方側への移動を阻止される結果、先端側部位４０ａを保持しているロープホルダ３０は、先端側部位４０ａと共にロープ保持アーム２０に対してロープ保持アーム２０の先端部２０ａに向けて相対的に移動する（矢印Ｆ方向）。
被係止部３３がロープ保持アーム２０の先端部２０ａに対して、先端部２０ａに向かって相対移動することにより、被係止部３３は傾斜した係止突起２５に沿ってその先端側に徐々に移動する。最終的に、被係止部３３は係止突起２５によって係止された状態を維持できなくなり、係止突起２５から離脱する。被係止部３３が係止突起２５から離脱した結果、伐採補助ロープ４０の先端側部位４０ａは支持を失って自重により地上に向けて落下する（図２（ｂ））。
【００３１】
図２（ｃ）に示すように、仮にアイ部４１が作業者の手の届く高さ位置まで落下してこない場合、作業者は操作杆１０を操作してアイ部４１内に操作突起２７を挿入し、アイ部４１を地表面近くまで引き下ろす作業を実施する。
【００３２】
最後に、伐採補助ロープ４０のアイ部４１に伐採補助ロープ４０の後端部を挿通して引き締めることにより、伐採補助ロープ４０は枝１０３の上方において幹１０１に巻回されることとなる（図中破線にて示す伐採補助ロープ４０）。伐採対象樹木１００を伐倒する際には伐採補助ロープ４０を引っ張って伐採対象樹木の伐倒方向を所望の方向にコントロールする。
【００３３】
＜効果＞
以上のように、本実施形態によれば、伐採補助ロープを、取り付けるべき位置に容易に、且つ確実に取り付けることができるので、伐採対象樹木を伐倒する作業を安全に実施できる。即ち、伐採補助ロープを、安全性は劣るが取り付けやすい箇所等に取り付けることに起因する作業上の危険を回避できる。
また、本実施形態に係るロープ取付具においては、伐採対象樹木に対する伐採補助ロープの衝突（移動阻害）を利用して、ロープホルダを離脱動作させるようにしたので、ロープ取付具の構成を単純にできる。ロープ取付具の構成が単純であるため、伐採補助ロープ取付時において、動作上の不具合が発生しづらい。
【００３４】
〔第二の実施形態〕
図３は、本発明の第二の実施形態に係るロープ取付具を示す模式的正面図である。図４（ａ）〜（ｃ）は、本発明の第二の実施形態に係るロープ取付具の使用方法を説明する模式図である。
本実施形態に係るロープ取付具は、可動式のロープ保持アームを備えており、ロープ保持アームの姿勢変位、及びロープ保持部を介して伐採補助ロープに働く遠心力を利用して、被取付部を越えて伐採補助ロープを放出する点に特徴がある。以下、第一の実施形態と同様の部材については同一の符号を付して適宜その説明を省略する。
【００３５】
ロープ取付具２は、長手方向の一端部（一部）に設けた軸支部５１を操作杆１０により揺動自在に支持されたロープ保持アーム５０と、ロープ保持アーム５０の長手方向の他端部（他部）に設けられて伐採補助ロープ４０の先端側部位４０ａを離脱自在に保持し、ロープ保持アーム５０が軸支部５１を中心として鉛直成分を持つ矢印Ｂ１方向に回転動作（離脱動作）して非保持姿勢（図４（ｃ）参照）を取った時に先端側部位４０ａを離脱させるロープ保持部５５と、を備える。
ロープ取付具２は、伐採補助ロープ４０を保持した状態のロープ保持部５５を被取付部１０５の一方側に位置させた状態でロープ保持アーム５０を回転動作させた時に先端側部位４０ａが被取付部１０５の他方側に落下するように構成されている。
【００３６】
＜伐採補助ロープ＞
本実施形態においては、遠心力を利用して伐採補助ロープ４０を放出するため、伐採補助ロープ４０のアイ部４１に金属製のリングやカラビナ等を用いる等して、予め所定の重量を付与しておくことが望ましい。
【００３７】
＜ロープ保持アーム＞
ロープ保持アーム５０は棒状体であり、長手方向の一端部に設けた軸支部５１を中心として所定の角度範囲内において矢印Ｂ１−Ｂ２方向に正逆自在に回転する。ロープ保持アーム５０は、軸支部５１を中心として正逆回転することにより、伐採補助ロープ４０を保持可能な保持姿勢（図３、図４（ａ）参照）と、伐採補助ロープ４０を離脱させる非保持姿勢（図４（ｃ）参照）とに揺動変位する。ロープ取付具２が図３等に示す使用時の姿勢を取るとき、保持姿勢を取るロープ保持アーム５０が斜め上方に伸びるように、各部が構成されている。
操作杆１０の先端部１０ａには、ロープ保持アーム５０を保持姿勢に維持するストッパ１１が設けられている。ストッパ１１は、例えば先端部１０ａから突出した突起により構成することができる。ストッパ１１は、ロープ保持アーム５０の適所に当接することにより、保持姿勢にあるロープ保持アーム５０が矢印Ｂ２方向へ回転することを阻止する。
【００３８】
＜ロープ保持部＞
ロープ保持部５５は、軸支部５１からロープ保持アーム５０の長手方向に所定距離離間した位置に配置される。ロープ保持部５５は、伐採補助ロープ４０の先端側部位４１ａに設けられたアイ部４１を離脱自在に係止するロープ係止突起（操作突起）５６と、係止したアイ部４１が軸支部５１側へ移動することを阻止する大径部５７とを備える。
【００３９】
ロープ係止突起５６は、ロープ保持アーム５０の長手方向に対して交差する方向に突出している。ロープ係止突起５６は、ロープ保持アーム５０が保持姿勢を取る場合に上方に向けて突出し、ロープ保持アーム５０が保持姿勢から矢印Ｂ１方向に回転して非保持姿勢を取る場合に下方に向けて突出するように、その突出角度（突出方向）が設定されている。
ロープ係止突起５６の外径はアイ部４１の内径よりも小径であり、ロープ係止突起５６はアイ部４１内に自在に挿抜可能に構成されている。ロープ係止突起５６は、アイ部４１により係止された伐採補助ロープ４０を、その重力を利用して保持する。
一方で、大径部５７はアイ部４１の内径よりも大径であり、ロープ係止突起５６に係止されたアイ部４１が軸支部５１側へ移動することを阻止する。
【００４０】
＜操作部＞
ロープ取付具２は、ロープ保持アーム５０を、軸支部５１を中心として矢印Ｂ１方向に回転させる回転力を付与するための操作部（操作手段）６０を備えている。操作部６０は、一部（長手方向の一端部）をロープ保持アーム５０の一部（長手方向の一端部）に連接された操作アーム６１と、操作アーム６１の他部（長手方向の他端部６１ａ）に一端を取り付けられた操作ロープ６３とを備える。
操作アーム６１は、例えばロープ保持アーム５０の長手方向と交差する方向に突出する棒状体から構成される。ロープ保持アーム５０に対する操作アーム６１の突出方向及び長さロープ取付具２が使用時の姿勢を取り、且つロープ保持アーム５０が保持姿勢を取るとき、少なくとも操作アーム６１の他端部６１ａに対して下向きの力Ｃ（図４（ｂ）参照）を加えられるように設定されている。例えば、操作アーム６１は、ロープ保持アーム５０が保持姿勢を取るときに斜め上方に突出した姿勢を取るように、その突出方向及び長さが設定される。
操作ロープ６３は、軸支部５１から操作アーム６１の長手方向に所定距離離間した位置に取り付けられる。作業者が操作ロープ６３を下方に引くことにより、ロープ保持アーム５０は矢印Ｂ１方向に回転する。
【００４１】
＜使用方法＞
ロープ取付具２の使用方法について、図３及び図４に基づいて説明する。
図３に示すように、まず、ロープ保持部５５に伐採補助ロープ４０を保持させる。即ち、ロープ保持アーム５０を保持姿勢とした状態にて、伐採補助ロープ４０のアイ部４１をロープ係止突起５６に係止する。なお、伐採補助ロープ４０の後端側部位は、作業者が操作できる状態で地上に待機させておく。
続いて図４（ａ）に示すように、操作杆１０を適宜操作して、軸支部５１を、伐採補助ロープ４０を取り付ける被取付部１０５の直下、ここでは枝１０３の直下まで上昇させると共に、ロープ保持部５５を枝１０３の一方側に配置する。
図４（ｂ）に示すように、操作ロープ６３を下方（図中矢印Ｃ方向）に引き、ロープ保持アーム５０を矢印Ｂ１方向に回転させる。
図４（ｃ）に示すように、矢印Ｂ１方向へ回転したロープ保持アーム５０は、枝１０３の上方をオーバーハングすると共に、非保持姿勢に変位する。このため、アイ部４１は枝１０３を乗り越えて、枝１０３の他方側に落下する。また、ロープ保持アーム５０は、矢印Ｂ１方向への回転に伴う遠心力により、アイ部４１を枝１０３の遠方に放出するため、アイ部４１は枝１０３を容易に乗り越える。なお、操作ロープ６３を下方に引く際の速度を調整することにより、ロープ保持アーム５０の回転速度、即ち遠心力を調整することができる。
【００４２】
なお、仮にアイ部４１が作業者の手の届く高さ位置まで落下してこない場合、作業者は操作ロープ６３を下方に引いてロープ保持アーム５０を非保持姿勢（図４（ｃ）に示す姿勢）に維持した状態で、操作杆１０を操作してアイ部４１内にロープ係止突起５６を挿入し、アイ部４１を地表面近くまで引き下ろす作業を実施する。即ち、ロープ係止突起５６は、アイ部４１を介して伐採補助ロープ４０を操作する操作突起として機能する。
【００４３】
＜効果＞
以上のように、本実施形態によれば、操作ロープ６３を下方に引くだけで、ロープ保持アーム５０を回転させて保持姿勢から非保持姿勢に変位させることができる。また、この操作により、伐採補助ロープは容易に被取付部を乗り越えると共に、遠心力を利用して遠方へ投げ出される。
従って、本実施形態によっても、伐採補助ロープを、取り付けるべき位置に容易に、且つ確実に取り付けることができるので、伐採対象樹木を伐倒する作業を安全に実施できる。即ち、伐採補助ロープを、安全性は劣るが取り付けやすい箇所等に取り付けることに起因する作業上の危険を回避できる。
【００４４】
〔本発明の実施態様例と作用、効果のまとめ〕
＜第一の実施態様＞
本態様は、伐採補助ロープ４０を、伐採対象樹木１００の被取付部１０５（幹１０１、枝１０３、又はその分岐部分）に取り付けるロープ取付具１である。
ロープ取付具は、操作杆１０により支持され、伐採補助ロープの先端側部位４０ａを保持した状態で被取付部上方をオーバーハングした時に先端側部位を被取付部の一方側から他方側へ乗り越えさせるロープ保持アーム２０と、ロープ保持アームに設けられて伐採補助ロープの先端側部位を離脱自在に保持し、離脱動作した時に先端側部位を離脱させるロープホルダ３０と、を備える。
ロープ取付具は、ロープホルダにより保持された伐採補助ロープの先端側部位が被取付部を乗り越えた状態でロープホルダを離脱動作させることにより先端側部位が被取付部の他方側に落下するように構成されていることを特徴とする。
【００４５】
ここで、伐採対象樹木の被取付部とは、伐採対象樹木の幹又は枝である。伐採補助ロープの先端側部位は、例えば環状（或いは螺旋状）に巻き取られた状態にて、ロープ保持アームに設けられたロープホルダによって支持される。或いは、伐採補助ロープのうちロープホルダによって支持される部位は、伐採補助ロープの先端部に形成した環状のアイ部４１等であってもよい。
ロープ保持アームが被取付部の上方をオーバーハングしたときに、言い換えれば、ロープ保持アームが被取付部の上方において被取付部の一方側から他方側に張り出した時に、伐採補助ロープの先端側部位が被取付部の一方側から他方側へ乗り越える。この状態にて、ロープ取付具を適宜操作して、ロープホルダを離脱動作させることにより、伐採補助ロープの先端側部位がロープホルダから離脱して、被取付部の他方側に落下する。
本態様によれば、ロープホルダ自体を離脱動作させて、伐採補助ロープを保持した状態から離脱させる状態に変化させるので、作業者の特別な技術を必要とせず、伐採対象樹木に対して容易且つ確実に伐採補助ロープを取り付けることができる。
【００４６】
＜第二の実施態様＞
本態様に係るロープ取付具１において、ロープ保持アーム２０には、係止突起２５が設けられており、ロープホルダ３０は、一部（一端部３１ａ）をロープ保持アームにより支持されると共に他部（他端部３１ｂ）に係止突起に着脱自在に係止される被係止部３３を備え、中間部に伐採補助ロープ４０の先端側部位４０ａを保持するロープ保持部３１を備えている。ロープホルダは、被係止部が係止突起に係止されているときに伐採補助ロープを保持する保持姿勢を取り、被係止部が係止突起から離脱したときに伐採補助ロープを離脱させることを特徴とする。
【００４７】
即ち、ロープホルダは、ロープ保持アームによって２箇所を支持されているときに伐採補助ロープを保持し、他部が支持を失ったときに伐採補助ロープを離脱させる。このような動作を実現できるものとして、ロープホルダには、例えば環状の被係止部を備えた線材を採用することができる。
【００４８】
＜第三の実施態様＞
本態様は、伐採補助ロープ４０を、伐採対象樹木１００の被取付部１０５（幹１０１、枝１０３、又はその分岐部分）に取り付けるロープ取付具２である。
ロープ取付具は、一部に設けた軸支部５１を操作杆１０により揺動自在に支持されたロープ保持アーム５０と、ロープ保持アームに設けられて伐採補助ロープの先端側部位４０ａを離脱自在に保持し、ロープ保持アームが軸支部を中心として回転動作した時に先端側部位を離脱させるロープ保持部５５と、を備える。
ロープ取付具は、伐採補助ロープを保持した状態のロープ保持部を被取付部の一方側に位置させた状態でロープ保持アームを回転動作させた時に先端側部位が被取付部の他方側に落下するように構成されていることを特徴とする。
【００４９】
本実施形態に係るロープ保持アームは可動式であり、軸支部を中心として回転する。回転動作によりロープ保持アームが被取付部をオーバーハングすれば、伐採補助ロープを被取付部の他方側に落下させることができる。或いは、ロープ保持アームが被取付部をオーバーハングしなかったとしても、ロープ保持アームが回転する際の遠心力を利用してロープ保持アームから伐採補助ロープを遠方に放出することができる。
本態様によれば、伐採対象樹木に対して容易且つ確実に伐採補助ロープを取り付け可能となる。
【００５０】
＜第四の実施態様＞
本態様に係るロープ取付具２は、ロープ保持アーム５０を、伐採補助ロープ４０の先端側部位４０ａを離脱させる離脱姿勢に回転させる操作手段（操作部６０）を備えることを特徴とする。
操作手段は、ロープ保持アームに対して回転力を付与する手段であり、単にロープ保持アームを回転させるだけではなく、ロープ保持アームの回転速度、即ち遠心力を調整する手段としても機能する。
【００５１】
＜第五の実施態様＞
本態様に係るロープ取付具１、２において、伐採補助ロープ４０は先端部に環状のアイ部４１を備えており、ロープ保持アーム２０、５０はアイ部に挿入可能な操作突起（操作突起２７、ロープ係止突起５６）を備えることを特徴とする。
【００５２】
本態様によれば、伐採補助ロープが地上に落下してこない場合に、アイ部内に操作突起を挿入し、強制的に伐採補助ロープの先端側部位を引き下ろすことができる。従って、その後に引き続いて行う伐採対象樹木に対する伐採補助ロープの取付作業を支障なく実施可能となる。
【符号の説明】
【００５３】
１、２…ロープ取付具、１０…操作杆、１０ａ…先端部、１１…ストッパ、２０…ロープ保持アーム、２０ａ…先端部、２１…オーバーハング部、２３…装着部、２５…係止突起、２７…操作突起、３０…ロープホルダ、３１…ロープ保持部、３１ａ…一端部、３１ｂ…他端部、３３…被係止部、４０…伐採補助ロープ、４０ａ…先端側部位、４０ｂ…穴、４１…アイ部、５０…ロープ保持アーム、５１…軸支部、５５…ロープ保持部、５６…ロープ係止突起（操作突起）、５７…大径部、６０…操作部（操作手段）、６１…操作アーム、６１ａ…他端部、６３…操作ロープ、１００…伐採対象樹木、１０１…幹、１０３…枝、１０５…被取付部
【図１】
2020137479.tif 000003
【図２】
2020137479.tif 000004
【図３】
2020137479.tif 000005
【図４】
2020137479.tif 000006